(57)【要約】【課題】ホール側の意図するメダルとは異なる色のメダルが投入された場合であっても、当該異なる色のメダルを排除することができる遊技機やメダルセレクターを提供する。【解決手段】  遊技機筐体のメダル投入口に投入された投入メダルを、遊技機筐体内の貯留装置へと導くためのメダル通路５０ｆと、メダル通路５０ｆを通過させる基準となる基準メダルＭを、メダル通路５０ｆに沿って保持できる基準メダル保持機構と、投入メダルが通過する空間を経て、基準メダルＭに光を照射するように配置される光源と、基準メダルにおける光源の反射光、および、投入メダルにおける光源の反射光を検出して色情報を取得するカラーセンサと、基準メダルの色情報と投入メダルの色情報とに基づいて、投入メダルを貯留装置とは異なる箇所に排除するメダル排除機構と、を有するメダルセレクターを備えた遊技機。【選択図】  図３
2013106720.tif 000002
【特許請求の範囲】
【請求項１】
遊技機筐体のメダル投入口に投入された投入メダルを、前記遊技機筐体内の貯留装置へと導くためのメダル通路と、
前記メダル通路を通過させる基準となる基準メダルを、前記メダル通路に沿って保持できる基準メダル保持機構と、
前記投入メダルが通過する空間を経て、前記基準メダルに光を照射するように配置される光源と、
前記基準メダルにおける前記光源の反射光、および、前記投入メダルにおける前記光源の反射光を検出して色情報を取得するカラーセンサと、
前記基準メダルの色情報と前記投入メダルの色情報とに基づいて、前記投入メダルを前記貯留装置とは異なる箇所に排除するメダル排除機構と、
を有するメダルセレクターを備えたことを特徴とする遊技機。
【請求項２】
請求項１に記載された遊技機であって、
前記基準メダル保持機構は、前記メダル通路に隣接して配置され、
前記基準メダル保持機構が隣接して配置される前記メダル通路には、前記基準メダル保持機構で保持される前記基準メダルを前記メダル通路の内側に露出させる露出窓が形成される、
ことを特徴とする遊技機。
【請求項３】
請求項１乃至２のいずれかに記載された遊技機であって、
前記メダルセレクターは、互いに対向して配置される第１のベース部材と第２のベース部材を有し、前記メダル通路は、前記第１のベース部材および前記第２のベース部材の隙間により形成され、
前記第１のベース部材は、前記基準メダル保持機構を有し、
前記メダル保持機構は、前記メダル通路を通過する前記投入メダルの平面に対して前記基準メダルを平行に保持する、
ことを特徴とする遊技機。
【請求項４】
請求項１乃至３のいずれかに記載された遊技機であって、
前記メダルセレクターは、有効な投入メダルの枚数が所定枚数を超える場合に、遊技機筐体の前面扉に配置されたメダル受け皿に前記投入メダルを返却する返却機構を有し、
前記返却機構は、前記排除機構よりも前記メダル通路の下流に配置される、
ことを特徴とする遊技機。
【請求項５】
請求項４に記載された遊技機であって、
前記排除機構は、前記メダル通路を通過する前記投入メダルの下側を支持して前記メダル通路の下流に導く第１のガイドレールを有して、前記第１のガイドレールの開閉は、ソレノイドによって制御され、
前記返却機構は、前記メダル通路を通過する前記投入メダルの下側を支持して前記メダル通路の下流に導く第２のガイドレールを有して、前記第２のガイドレールの開閉は、ソレノイドによって制御され、
前記第２のガイドレールは、前記第１のガイドレールよりも前記メダル通路の下流に配置される、
ことを特徴とする遊技機。
【請求項６】
請求項５に記載された遊技機であって、
前記メダル通路は、L字状、或いは、逆L字状の通路で形成されて、
前記排除機構における前記第１のガイドレールは、前記メダル通路が屈曲した箇所を含んで、湾曲した形状となる、
ことを特徴とする遊技機。
【請求項７】
請求項１乃至６のいずれかに記載された遊技機であって、
前記メダル排除機構は、
前記カラーセンサから取得される前記基準メダルの反射光から取得されるＲＧＢ成分のうちの少なくとも２つの成分の関係、および、前記投入メダルの反射光から取得されるＲＧＢ成分のうちの少なくとも２つの成分の関係に基づいて、前記投入メダルを前記貯留装置とは異なる箇所に排除する、
ことを特徴とする遊技機。
【請求項８】
投入された投入メダルを、メダル出口に導くためのメダル通路と、
前記メダル通路を通過させる基準となる基準メダルを、前記メダル通路に沿って保持できる基準メダル保持機構と、
前記投入メダルが通過する空間を経て、前記基準メダルに光を照射するように配置される光源と、
前記基準メダルにおける前記光源の反射光、および、前記投入メダルにおける前記光源の反射光を検出して色情報を取得するカラーセンサと、
前記基準メダルの色情報と前記投入メダルの色情報とに基づいて、前記投入メダルを前記メダル出口とは異なる箇所に排除するメダル排除機構と、
を有するメダルセレクター。
【発明の詳細な説明】
【技術分野】
【０００１】
本発明は、遊技機およびメダルセレクターに関する。
【背景技術】
【０００２】
遊技機には、遊技者が投入をしたメダルの検出や選別を行うメダルセレクターが内蔵されている。このメダルセレクターは、所定の寸法より小さな直径を有するメダルを確実に選別して、メダル通路から排除する機構を有している。
【０００３】
なお、特許文献１では、遊技に使用するメダルの直径が異なる場合に着目しており、通路幅を変更可能な通路幅変更部がメダル通路形成部に備えられる旨が記載されている。
【先行技術文献】
【特許文献】
【０００４】
【特許文献１】特開２００９−１１２４６６号公報
【発明の概要】
【発明が解決しようとする課題】
【０００５】
ここで、例えば、５円遊技による営業形態と２０円遊技による営業形態のような、１つの店舗で異なる営業形態を採用するホールが増大している。
【０００６】
このような営業形態のホールでは、５円遊技用の遊技機と２０円遊技用の遊技機に、異なる色や材料のメダルを採用する場合が多くなっており、５円遊技の営業形態のエリアと、２０円遊技の営業形態のエリアとを隔離するような島構成がしばしば採用される。
【０００７】
しかしながら、営業形態の異なる島を隔離したとしても、高価格帯の営業形態の遊技機に、低価格帯の営業形態のメダルが投入されるなどの不正を十分に防止できない場合も想定される。
【０００８】
本発明は、ホール側の意図するメダルとは異なる色のメダルが投入された場合であっても、当該異なる色のメダルを排除することができる遊技機やメダルセレクターを提供することを目的とする。
【課題を解決するための手段】
【０００９】
本発明にかかる遊技機は、上記課題に鑑みて、遊技機筐体のメダル投入口に投入された投入メダルを、前記遊技機筐体内の貯留装置へと導くためのメダル通路と、前記メダル通路を通過させる基準となる基準メダルを、前記メダル通路に沿って保持できる基準メダル保持機構と、前記投入メダルが通過する空間を経て、前記基準メダルに光を照射するように配置される光源と、前記基準メダルにおける前記光源の反射光、および、前記投入メダルにおける前記光源の反射光を検出して色情報を取得するカラーセンサと、前記基準メダルの色情報と前記投入メダルの色情報とに基づいて、前記投入メダルを前記貯留装置とは異なる箇所に排除するメダル排除機構と、を有するメダルセレクターを備えたことを特徴とする。
【００１０】
また、本発明に係る遊技機の一態様では、前記基準メダル保持機構は、前記メダル通路に隣接して配置され、前記基準メダル保持機構が隣接して配置される前記メダル通路には、前記基準メダル保持機構で保持される前記基準メダルを前記メダル通路の内側に露出させる露出窓が形成される、ことを特徴としてもよい。
【００１１】
また、本発明にかかる遊技機の一態様では、前記メダルセレクターは、互いに対向して配置される第１のベース部材と第２のベース部材を有し、前記メダル通路は、前記第１のベース部材および前記第２のベース部材の隙間により形成され、前記第１のベース部材は、前記基準メダル保持機構を有し、前記メダル保持機構は、前記メダル通路を通過する前記投入メダルの平面に対して前記基準メダルを平行に保持する、ことを特徴としてもよい。
【００１２】
また、本発明にかかる遊技機の一態様では、前記メダルセレクターは、有効な投入メダルの枚数が所定枚数を超える場合に、遊技機筐体の前面扉に配置されたメダル受け皿に前記投入メダルを返却する返却機構を有し、前記返却機構は、前記排除機構よりも前記メダル通路の下流に配置される、ことを特徴としてもよい。
【００１３】
また、本発明にかかる遊技機の一態様では、前記排除機構は、前記メダル通路を通過する前記投入メダルの下側を支持して前記メダル通路の下流に導く第１のガイドレールを有して、前記第１のガイドレールの開閉は、ソレノイドによって制御され、前記返却機構は、前記メダル通路を通過する前記投入メダルの下側を支持して前記メダル通路の下流に導く第２のガイドレールを有して、前記第２のガイドレールの開閉は、ソレノイドによって制御され、前記第２のガイドレールは、前記第１のガイドレールよりも前記メダル通路の下流に配置される、ことを特徴としてもよい。
【００１４】
また、本発明にかかる遊技機の一態様では、前記メダル通路は、L字状、或いは、逆L字状の通路で形成されて、前記排除機構における前記第１のガイドレールは、前記メダル通路が屈曲した箇所を含んで、湾曲した形状となる、ことを特徴としてもよい。
【００１５】
また、本発明にかかる遊技機の一態様では、前記メダル排除機構は、前記カラーセンサから取得される前記基準メダルの反射光から取得されるＲＧＢ成分のうちの少なくとも２つの成分の関係、および、前記投入メダルの反射光から取得されるＲＧＢ成分のうちの少なくとも２つの成分の関係に基づいて、前記投入メダルを前記貯留装置とは異なる箇所に排除する、ことを特徴としてもよい。
【００１６】
本発明にかかるメダルセレクターは、上記課題に鑑みて、投入された投入メダルを、メダル出口に導くためのメダル通路と、前記メダル通路を通過させる基準となる基準メダルを、前記メダル通路に沿って保持できる基準メダル保持機構と、前記投入メダルが通過する空間を経て、前記基準メダルに光を照射するように配置される光源と、前記基準メダルにおける前記光源の反射光、および、前記投入メダルにおける前記光源の反射光を検出して色情報を取得するカラーセンサと、前記基準メダルの色情報と前記投入メダルの色情報とに基づいて、前記投入メダルを前記メダル出口とは異なる箇所に排除するメダル排除機構と、を有することを特徴とする。
【発明の効果】
【００１７】
本発明によれば、ホール側の意図するメダルとは異なる色のメダルが投入された場合であっても、当該異なる色のメダルを排除できる遊技機やメダルセレクターを提供することができる。
【図面の簡単な説明】
【００１８】
【図１】第１の実施形態にかかる遊技機の概観を示す斜視図である。
【図２】遊技機のハードウェア構成を示すブロック図である。
【図３】第１の実施形態にかかるメダルセレクターの斜視図である。
【図４】第１の実施形態にかかるメダルセレクターの第２のベース部材の平面図である。
【図５】第１の実施形態にかかるメダルセレクターの第２のベース部材の裏面図である。
【図６】第１の実施形態にかかるメダルセレクターにメダルが投入される様子と、投入メダルの色情報が検出される様子を示す図である。
【図７】第１の実施形態にかかるメダルセレクターにおいて、投入メダルＩＭがメダル通路を通過する様子と、排除される様子を示す図である。
【図８】第１の実施形態にかかるメダルセレクターにおいて、投入メダルＩＭがメダル通路を通過する様子と、排除される様子を示す断面図である。
【図９】第１の実施形態にかかるメダルセレクターの機能的構成を示す図である。
【図１０】第１の実施形態にかかるメダルセレクターの制御部が行う処理のフローを示す図である。
【発明を実施するための形態】
【００１９】
［第１の実施形態］
図１は、本発明の第１の実施形態にかかる遊技機１（遊技機）の概観を示す斜視図である。遊技機１の筐体は、リールユニットＲＬ（リール可変表示装置）やメイン基板ケースを収納する箱状の本体２と、本体２の前面に配置した前面扉３から構成されている。本体２と前面扉３は、蝶番により片側で繋がって開閉できるようになっている。
【００２０】
また、前面扉３は、遊技者が遊技を行うためのボタン類が配置された操作部ＯＰ、リールユニットＲＬの図柄を視認させるためのリール窓２０や、遊技を進行するための情報が表示される表示器類が配置されたパネル表示部ＤＰ、遊技を進行するための情報が表示される液晶表示器類や電飾装置が配置された演出表示部ＴＰ、および、受皿部ＢＰから構成されている。
【００２１】
操作部ＯＰには、メダルが投入されるメダル投入口１０と、貯留ベット操作を行うためのベットボタン１１と、リールの回転を開始させるためのスタートレバー１２と、各リールの回転を停止させるためのストップボタン１３ａ〜１３ｃが設けられている。また、スタートレバー１２の左側には、メダル貯留装置に記憶されたクレジットを精算してメダル受皿４０にメダルを払い出すための精算ボタン１４が配置されている。
【００２２】
パネル表示部ＤＰには、リール窓２０があり、リール窓２０上には、水平ラインの入賞ラインと斜めラインの入賞ライン（図１において不図示）が通っている。このリール窓２０の左側には、入賞ラインの各々に対応した入賞ライン表示器２１が設けられており、メダルの投入枚数に応じて入賞ライン表示器２１が点灯するようになっている。
【００２３】
また、リール窓２０の下側には、メダル貯留装置に蓄えられたクレジット数を表示するクレジット数表示器２３ａ、入賞した場合に付与された配当数を表示する配当数表示器２３ｃ、及び所定ゲーム中に付与された配当数を累積して獲得枚数の表示を行う獲得枚数表示器２３ｂから構成される遊技価値情報表示部２３を有している。
【００２４】
受皿部ＢＰには、メダル払出装置が駆動されてメダル払出口４０aから排出された遊技メダルを貯めるメダル受皿４０が設けられており、メダル受皿４０の左側には灰皿４１が設けられている。
【００２５】
図２は、遊技機１のハードウェア構成を示すブロック図である。遊技機１は、遊技の主たる制御を行うメイン制御基板１００Ａ、液晶表示器に対して表示制御を行い画像表示する表示制御基板１００Ｂ、及びパネル表示部ＤＰ又は演出表示部ＴＰのＬＥＤ類や音の演出の制御を行う電飾制御基板１００Ｃを備えている。メイン制御基板１００Ａは、ＣＰＵ（centralprocessingunit）１０１、第１クロック発生回路１０２、第２クロック発生回路１０３、ＲＯＭ（read-onlymemory）１０４、ＲＡＭ（random-accessmemory）１０５、データ送出回路１０６、入出力ポート１０７から構成されている。
【００２６】
ＣＰＵ１０１は、ＲＯＭ１０４に格納されたプログラムを、第１クロック発生回路１０２で発生したＣＬＫ信号のタイミングに基づいて読み出し、プログラムを逐次実行する。ＣＰＵ１０１は、電源が投入されるとあらかじめ定められたアドレスからメインプログラムを実行し、第１クロック発生回路１０２の周期とは異なる第２クロック発生回路１０３で発生したＩＮＴＲ信号のタイミングで、あらかじめ定められたアドレスから始まる割込みプログラムを実行する。ＣＰＵ１０１はプログラムの実行に応じて、各種フラグや各種カウンタ又は各種の情報をＲＡＭ１０５に保存する。外部から供給される電源が遮断した場合でも、ＲＡＭ１０５は電池により情報が保持されており、その後電源が復帰した場合には、電源断発生の直前の状態から再開する。ＣＰＵ１０１は、入出力ポート１０７を介して各種ボタン、センサの状態を読み取り、各種モータ、ＬＥＤを駆動する。
【００２７】
ベット操作指示信号１１１ａ〜１１１ｃ、開始操作指示信号１１２、停止操作指示信号１１３ａ〜１１３ｃ及び精算操作指示信号１１４は、それぞれ操作部ＯＰに設けられたベットボタン１１、スタートレバー１２、ストップボタン１３ａ〜１３ｃ、精算ボタン１４ボタンが遊技者に操作されたことに応じて検知される信号であり、入出力ポート１０７を介してＣＰＵ１０１に送られる。
【００２８】
表示制御信号１２３ａ〜１２３ｃは、それぞれパネル表示部ＤＰに設けられたクレジット数表示器２３ａ、獲得枚数表示器２３ｂ、配当数表示器２３ｃに表示するための表示信号であり、入出力ポート１０７を介してＣＰＵ１０１より駆動される。リール位置検出信号１５５ａ〜１５５ｃは、それぞれリールユニットＲＬの左、中、右リール位置検出センサ５５ａ〜５５ｃに対応し、リールが１回転するたびに１回検出する信号であって入出力ポート１０７を介してＣＰＵ１０１に送られる。リール駆動信号１５４ａ〜１５４ｃは、リールユニットＲＬの左、中、右リール駆動モータ５４ａ〜５４ｃを駆動するステッピングモーター駆動信号であり、各リール駆動モータは、入出力ポート１０７を介してＣＰＵ１０１より駆動される。
【００２９】
メダル投入信号１６０は、投入された遊技メダルをメダル投入口１０から通ずる前面扉３の内側に設けられたメダルセレクターにおいて、メダルを検出する信号であり、入出力ポート１０７を介してＣＰＵ１０１に送られる。また、メダルブロック信号１６１は、メダルセレクター５０に設けられたソレノイドを駆動して、投入されたメダルをメダル受皿４０に返却するための信号であり、入出力ポート１０７を介してＣＰＵ１０１より駆動される。メダル払出信号１６２はメダル貯留装置のメダル放出部に設けられたメダルを検出するセンサ信号であり、入出力ポート１０７を介してＣＰＵ１０１に送られる。また、払出駆動信号１６３はメダル貯留装置に設けられたモータを駆動する信号であり、入出力ポート１０７を介してＣＰＵ１０１より駆動される。
【００３０】
ＣＰＵ１０１は、データ送出回路１０６を介して表示制御基板１００Ｂ及び電飾制御基板１００Ｃへ各種コマンドを出力する。電飾制御基板１００Ｃは、メイン制御基板１００Ａより各種コマンドを受信し、入賞ライン表示器２１、遊技ガイド表示器２２、電飾ＬＥＤ３１による電飾装置の点灯制御、リールユニットＲＬに設けられたバックライト装置５３ａ〜５３ｃの点灯制御及びＢＧＭなどのサウンドをスピーカ３２から出力する。
【００３１】
表示制御基板１００Ｂは、ＣＰＵ（centralprocessingunit）１９１、第３クロック発生回路１９２、第４クロック発生回路１９３、ＲＯＭ（read-onlymemory）１９４、ＲＡＭ（random-accessmemory）１９５、データ入力回路１９６及びグラフィックＬＳＩとその周辺回路からなる表示回路１９７を備えている。このＣＰＵ１９１は、ＲＯＭ１９４に格納されたプログラムを、第３クロック発生回路１９２で発生したＣＬＫ信号のタイミングに基づいて読み出し、プログラムを逐次実行する。ＣＰＵ１９１は、電源が投入されるとあらかじめ定められたアドレスからメインプログラムを実行し、第３クロック発生回路１９２の周期とは異なる第４クロック発生回路１９３で発生したＩＮＴＲ１信号のタイミングで、あらかじめ定められたアドレスから始まる割込みプログラムを実行する。ＣＰＵ１９１のストローブ信号は、プログラムの実行に応じて、各種フラグや各種カウンタ又は各種の情報をＲＡＭ１９５に保存する。また、データ入力回路１９６は、メイン制御基板１００Ａのデータ送出回路からのデータ送出タイミングに同期して送出されるストローブ信号に基づいてＩＮＴＲ２信号を発生させ、ＣＰＵ１９１は、このＩＮＴＲ２信号のタイミングで、あらかじめ定められたアドレスから始まる割込みプログラムを実行する。
【００３２】
次に、本発明の一実施形態にかかる遊技機が備えるメダルセレクター５０について説明をする。
【００３３】
図３は、メダルセレクター５０の概略的構成を示す斜視図である。また、図４は、メダルセレクター５０の第２のベース部材Ｂ２の平面図（第１のベース部材Ｂ１に対向する側から見た図）であり、図５は、メダルセレクター５０の第２のベース部材の裏面図（第１のベース部材Ｂ１に対向する側の反対側から見た図）である。
【００３４】
本実施形態のメダルセレクター５０は、第１のベース部材Ｂ１と第２のベース部材Ｂ２を有し、前面扉３の裏面に取り付けられる。第２のベース部材Ｂ２は、第１のベース部材Ｂ１よりも遊技者側（すなわち前面扉３側）となるように前面扉３に固定され、これらの２つの部材は、遊技者からみて左側となる端部において蝶番により回転可能に連結される。
【００３５】
メダルセレクター５０は、第１のベース部材Ｂ１と第２のベース部材Ｂ２との間に生じる隙間によりメダル通路５０ｆを形成し、メダル投入口１０に投入されたメダル（投入メダル）は、自重によって、メダル通路５０ｆを経て遊技機の内部に配置されたメダル貯留装置（ホッパー）へと誘導される。また、メダル通路５０ｆは、メダルセレクター５０の内部で折れ曲がってＬ字状に形成されており、メダル投入口１０に繋がるメダル入口部５０ａは、メダルセレクター５０の上部に配置され、メダル貯留装置に繋がるメダル出口５０ｂは、メダルセレクター５０の左側面下部に配置される。
【００３６】
メダルセレクター５０は、具体的には、基準メダルＭを保持する基準メダル保持機構と、光源ＬＳと、カラーセンサＣＳを有し、さらに、メダル排除機構と、メダル返却機構とを有している。特に本実施形態のメダルセレクター５０は、カラーセンサＣＳにおいて検知される基準メダルＭおよび投入メダルＩＭの色情報に基づいて、メダル通路５０ｆを通過する投入メダルＩＭが適正なメダルであるか否かを判断するものとなっている。
【００３７】
まず、基準メダル保持機構は、第１のベース部材Ｂ１において、メダル入口部５０ａの直後となる下流の位置にし、メダル通路５０ｆ内に基準メダルＭのおもて面またはうら面を露出させつつ保持するためのものである。また、基準メダル保持機構は、露出窓ＡＰや基準メダル差込口ＩＳＴを備えており、メダル通路５０ｆに沿って隣接して配置されている。本実施形態の露出窓ＡＰは、メダル通路５０ｆの内側に向かって基準メダルＭを露出させるために開口している部分であるが、透明なプラスチック板等が介在しつつ、基準メダルＭがメダル通路５０ｆの内部に露出されるのであってもよい。また、基準メダル差込口ＩＳＴは、ホール側の作業員によって挿入される基準メダルの受け入れ口になっている。
【００３８】
基準メダルＭとしては、ホール側が定めた遊技機１で遊技を行うためのメダル（以下、遊技メダルともいう）を採用し、遊技機１が設置された各ホールにおいて遊技機毎に個別に挿入されるものである。また、ホール側としては、例えば、メダルのおもて面とうら面の中央に所定カラーの樹脂が貼付けられたメダルを遊技メダルとして採用するのが好適である。基準メダル保持機構に挿入された基準メダルＭは、内部のバネ機構によって弾性力が付与されつつ固定される。
【００３９】
光源ＬＳは、白色光を発光するＬＥＤ素子により構成され、第２のベース部材Ｂ２において、メダル通路５０ｆを挟んで基準メダルＭに対向する位置に配置される。光源ＬＳは、図４で示されるように、露出窓ＡＰに重複する位置に配置されて、投入メダルＩＭが通過する空間を経て基準メダルＭに白色光を照射する。
【００４０】
また、カラーセンサＣＳは、例えば、赤色、青色、緑色にそれぞれ感度をもつフォトダイオードを１つのパッケージで構成をした受光型のカラーセンサによって構成される。カラーセンサＣＳは、基準メダルＭおよび、投入メダルＩＭで反射した光源ＬＳの光を受光するため、光源ＬＳと同様に、露出窓ＡＰに重複する位置に配置される。
【００４１】
メダル排除機構は、光源ＬＳおよびカラーセンサＣＳのさらに下流に配置されて、第１のガイドレールＧ１と、回転軸部Ａｘと、第１のソレノイドＳ１を含んで構成される。メダル排除機構は、カラーセンサＣＳにおいて検知される基準メダルＭおよび投入メダルＩＭの色情報の波形の変化に基づいて、第１のソレノイドＳ１を励磁あるいは非励磁にし、メダル通路５０ｆの下部における壁面を構成する第１のガイドレールＧ１を退避あるいは突出させる。
【００４２】
メダル排除機構の第１のガイドレールＧ１は、図４で示されるように、Ｌ字状のメダル通路５０ｆにおける屈曲部に配置されて、なだらかに湾曲した形状になっている。そして、メダル通路５０ｆ内で投入メダルＩＭを滞りなく通過させるため、第１のガイドレールＧ１の下流端部は、後述のメダル返却機構の第２のガイドレールＧ２の上流端部に連なるように形成されている。また、第１のガイドレールＧ１は、その下流端部がメダル入口部５０ａからみてさらに下流側に延在しており、これにより、第１のガイドレールＧ１が第２のベース部材Ｂ２内に退避する場合に、滞りなく投入メダルＩＭが排出される。
【００４３】
また、本実施形態におけるメダル返却機構は、メダル排除機構よりもさらに下流に配置して、第２のガイドレールＧ２と、図３〜図５において不図示の回転軸部および第２のソレノイドを含んで構成される。第２のガイドレールＧ２は、投入ベット処理や貯留ベット処理が為され、かつ、投入クレジット処理や配当クレジット処理により、貯留枚数が上限である５０枚に達している場合には、第２のベース部材Ｂ２の内側に退避して、投入メダルＩＭがメダル受皿４０に返却されるようになっている。
【００４４】
図６（ａ）および図６（ｂ）は、図４におけるIV−IV断面を示す図であり、図６（ａ）は、メダルセレクター５０のメダル入口部５０ａからメダルが投入される状態を示し、図６（ｂ）は、基準メダル保持機構と、光源ＬＳおよびカラーセンサＣＳの間に投入メダルＩＭが介在して、その色情報が検出される様子を示している。
【００４５】
これらの図で示されるように、基準メダルＭは、メダル通路５０ｆ内を移動する投入メダルＩＭのおもて面（またはうら面）に対して略平行となるように保持される。そして、基準メダルＭと光源ＬＳ等の間を投入メダルＩＭが通過するタイミングにおいて、光源ＬＳからの白色光が投入メダルＩＭに照射され（基準メダルＭに照射される白色光が遮られ）、投入メダルＩＭからの反射光がカラーセンサＣＳに受光されるようになっている。また、メダル通路５０ｆ内には凹部が形成されて、カラーセンサＣＳと光源ＬＳは、投入メダルＩＭが通過する部分よりも奥まった位置となる凹部の底に配置される。図６（ａ）および図６（ｂ）で示されるように、カラーセンサＣＳは、光源ＬＳよりも下流に配置され、光源ＬＳからの光がカラーセンサＣＳに直接的に入射するのを防ぐために、カラーセンサＣＳと光源ＬＳの間には衝立部ＰＴが配置される。
【００４６】
投入メダルＩＭが適正なメダルか否かの判断は、メダルセレクター５０に実装された制御基板により、投入メダルＩＭが通過する直前の基準メダルＭに関するカラーセンサＣＳの計測値と、投入メダルＩＭに関する計測値を比較することでなされる。具体的には、当該制御基板は、基準メダルＭから検出されるＲＧＢの計測値を取得している状態となっており、投入メダルＩＭがメダル通路５０ｆを通過する際には、ＲＧＢの波形が変化して投入メダルＩＭの計測値が取得される。本実施形態では、メダルセレクター５０の制御基板は、基準メダルＭおよび投入メダルＩＭから検出される赤色の光量と青色の光量の比（以下、Ｒ／Ｂ値ともいう）と、緑色の光量と青色の光量の比（以下、Ｇ／Ｂ値ともいう）を取得し、これらを比較することにより、投入メダルＩＭがホール側の意図する適正なメダルであるか否かを判断する。具体的には、投入メダルＩＭのＲ／Ｂ値が基準メダルＭのＲ／Ｂ値の差異が所定範囲内（例えば±５％以内）におさまり、かつ、投入メダルＩＭのＧ／Ｂ値が基準メダルＭのＧ／Ｂ値の差異が所定範囲内（例えば±５％以内）におさまる場合には、メダルセレクター５０は、投入メダルＩＭが適正な遊技メダルであるものと判断し、当該投入メダルＩＭをメダル排除機構において排除せずにメダル貯留装置へと誘導する。
【００４７】
なお、本実施形態では、基準メダルＭから検出されるＲＧＢ各色の比と、投入メダルＩＭから検出されるＲＧＢ各色の比を比べることで、投入メダルＩＭが適正な遊技メダルであるか否かを判断しているが、カラーセンサＣＳから取得されるＲＧＢ成分のうちの少なくとも２つの成分の関係に基づいて判断をしてもよく、例えば、Ｒ／Ｂ値のみの比較により、投入メダルＩＭが適正なメダルであるか否かを判断してもよい。
【００４８】
次に、図７および図８は、投入メダルＩＭがメダル通路５０ｆを通過する様子を説明するための図である。
【００４９】
図７（ａ）は、投入メダルＩＭが適正なメダルであると判断される場合に、メダル通路５０ｆを経てメダル貯留装置に誘導される様子を示す図であり、図８（ａ）は、図７（ａ）に対応する断面図である。また、図７（ｂ）は、投入メダルＩＭが適正なメダルでないと判断される場合に、メダル通路５０ｆから排除される様子を示す図であり、図８（ｂ）は、図７（ｂ）に対応する断面図である。
【００５０】
第１のガイドレールＧ１は、図７（ａ）および図８（ａ）の場合には、自重で落下してきた投入メダルＩＭを下側から支持して誘導する位置（誘導位置）に突出しており、図７（ｂ）および図８（ｂ）の場合には、不図示の通路に投入メダルを落下させて、第１のベース部材Ｂ１と第２のベース部材Ｂ２の間を経て、メダル受皿４０へと排出する位置（排出位置）に退避している。以下においては、第１のガイドレールＧ１を有するメダル排除機構について、さらに具体的に説明をする。
【００５１】
まず、投入メダルＩＭが排除される場合には、第１のソレノイドＳ１は励磁の状態となっており、この際、第１のソレノイドＳ１に取り付けられる不図示のアマチュアの先端が第１のガイドレールＧ１に当接して、第１のガイドレールＧ１が回転軸部Ａｘを支点として回転してその一部を退避させ、図８（ｂ）に示すような排出位置をとっている。そして、第１のソレノイドＳ１が非励磁の状態になると、不図示のアマチュアの先端が第１のソレノイドＳ１に対して非接触となり、第１のガイドレールＧ１は不図示の復帰バネによる付勢力によってその一部が突出し、投入メダルＩＭを下側から支持して誘導できるようになる。
【００５２】
図９は、本実施形態におけるメダルセレクター５０の機能的構成を示すブロック図である。同図で示されるように、メダルセレクター５０は、制御部５０１と、第１のソレノイドＳ１と、カラーセンサＣＳと、カラーセンサＣＳで取得されたＲＧＢの検出値を一時的に記憶する記憶部ＭＲを有し、さらに、第２のソレノイドＳ２と、メダルセンサＭＳを含んで構成される。
【００５３】
制御部５０１は、カラーセンサＣＳと基準メダルＭの間を投入メダルＩＭが通過する際に検知される色情報と、記憶部ＭＲに一時的に記憶された基準メダルＭの色情報を取得して、これらを比較する。上述したように、制御部５０１は、基準メダルＭと投入メダルＩＭのＲ／Ｂ値およびＧ／Ｂ値を比較し、比較の結果に応じて第１のソレノイドＳ１を励磁する指示をして第１のガイドレールＧ１を排出位置に退避させて、投入メダルＩＭを排除する。
【００５４】
また、メダルセンサＭＳは、メダル貯留装置に貯留されるメダルをカウントするためのセンサであり、メダル出口５０ｂの手前に配置されて、通過した投入メダルＩＭを検知するごとに、メダル投入信号１６０をメイン制御基板１００Ａに出力する。また、第２のソレノイドＳ２は、クレジット数が上限に達した後、メイン制御基板１００Ａから出力されるメダルブロック信号１６１を受信することにより、非励磁の状態となって第２のガイドレールＧ２を排出位置に退避させるものとなっている。
【００５５】
図１０は、本実施形態において、メダルセレクター５０の制御部５０１が実行する処理のフローを示す図である。同図で示されるように、遊技機１の電源投入後は、まず、第１のソレノイドＳ１が非励磁の状態になっており、第１のガイドレールＧ１が誘導位置に固定される（Ｓ１０１）。そして、基準メダルＭに光源ＬＳの白色光が照射されて、その反射光によってカラーセンサＣＳから取得される色情報が記憶部ＭＲに一時的に記憶される（Ｓ１０２）。
【００５６】
そして次に、Ｓ１０３において制御部５０１は、カラーセンサＣＳが基準メダルＭの色情報と異なる色情報を取得したか否かを判断する。基準メダルＭと異なる色情報を取得した場合には、メダルセレクター５０は、所定の期間（例えば５秒間）、第１のソレノイドＳ１を励磁して、第１のガイドレールＧ１を排出位置に固定する（Ｓ１０４）。一方、基準メダルＭとほぼ同じ色情報を取得した場合には、第１のソレノイドＳ１を非励磁にする状態が維持されて、第１のガイドレールＧ１が誘導位置に固定される。
【００５７】
遊技機１に投入される遊技メダルは各ホールで仕様が異なるため、それぞれに対応しようとすると、それぞれのメダルの仕様に応じた工夫が必要になる。しかし、上述した実施形態の遊技機１では、対象となる遊技メダルがどのようなメダルであっても、基準メダル保持機構に基準メダルを挿入すればよいため、メダルの仕様に対応するための工夫が削減され労力やコストを抑えることが可能になる。
【００５８】
なお、上記の実施形態のように、メダルセレクター５０が制御基板を備え、これによりメダル排除機構が制御されるのが好適であるが、メダル排除機構が、メイン制御基板１００Ａによって制御されても良い。なお、上記の実施形態では、基準メダル保持機構が第１のベース部材Ｂ１に形成されて、カラーセンサＣＳおよび光源ＬＳが第２のベース部材Ｂ２に配置されているが、基準メダル保持機構が第２のベース部材Ｂ２に形成されて、カラーセンサＣＳおよび光源ＬＳが第１のベース部材Ｂ１に配置されてもよい。また、基準メダル差込口ＩＳＴは、第１のベース部材Ｂ１の側面に形成されているが、第１のベース部材Ｂ１の上面に形成されてもよい。なお本発明は、上述した実施形態に限定されるものではなく種々の変形が可能であることは言うまでもない。
【符号の説明】
【００５９】
１  遊技機、５０  メダルセレクター、５０ａ  メダル入口部、５０ｂ  メダル出口、５０ｆ  メダル通路、ＩＳＴ  基準メダル差込口、Ｂ１  第１のベース部材、Ｂ２  第２のベース部材、ＡＰ  露出窓、Ｍ  基準メダル、ＩＭ  投入メダル、ＬＳ  光源、ＣＳ  カラーセンサ、Ｇ１  第１のガイドレール、Ｇ２  第２のガイドレール、ＭＳ  メダルセンサ、Ａｘ  回転軸、Ｓ１  第１のソレノイド、Ｓ２  第２のソレノイド、ＰＴ  衝立部、ＭＲ  記憶部、５０１  制御部。
【図１】
2013106720.tif 000003
【図２】
2013106720.tif 000004
【図３】
2013106720.tif 000005
【図４】
2013106720.tif 000006
【図５】
2013106720.tif 000007
【図６】
2013106720.tif 000008
【図７】
2013106720.tif 000009
【図８】
2013106720.tif 000010
【図９】
2013106720.tif 000011
【図１０】
2013106720.tif 000012